(57)【要約】      （修正有）【課題】使い勝手を向上させた箸を提供する。【解決手段】２本の棒状の箸本体１１、１１を組み合わせ、各箸本体１１の一端に人の手を模して形成する立体部分１１ｂを設ける。２本１組の箸本体の立体部分は、たとえばじゃんけんの手の形や、握手や指切りをしている形など一定の観念を表す形状に形成することにより、格別な興趣を引き起こすことができる。【選択図】図１
0003149837.tif 000002
【実用新案登録請求の範囲】
【請求項１】
１本の棒状の箸本体からなり、該箸本体の一端には、人の片手を模して形成する立体部分を設けることを特徴とする箸。
【請求項２】
２本の棒状の箸本体を組み合わせてなり、該箸本体の一端には、それぞれ人の右手、左手を模して形成する立体部分を設けることを特徴とする箸。
【請求項３】
前記各箸本体の立体部分は、互いに対称形に形成することを特徴とする請求項２記載の箸。
【請求項４】
前記各箸本体の立体部分は、互いに組み合わせて一定の観念を表わす形状に形成することを特徴とする請求項２記載の箸。
【請求項５】
前記立体部分は、前記箸本体の延長方向に向けて形成することを特徴とする請求項１ないし請求項４のいずれか記載の箸。
【考案の詳細な説明】
【技術分野】
【０００１】
この考案は、食事などの際に使用する箸に関する。
【背景技術】
【０００２】
箸は、日本人の生活習慣に広く定着しているが、それを上手に使用することは、必ずしも簡単ではない。殊に、滑りやすい物や、柔い物などを箸で食べるときは、格別な注意が必要である。
【０００３】
そこで、箸を使い易くするための提案が知られている。たとえば、箸の先端に膨出部を設け（特許文献１）、箸の上端部にスプーンやフォークの頭部を設け（特許文献２）、あるいは、箸の先端部を二股に形成することにより（特許文献３）、箸の使い勝手を向上させることができる。
【先行技術文献】
【特許文献】
【０００４】
【特許文献１】特開２００５−３４８７６８号公報
【特許文献２】実用新案登録第３１４４９６９号公報
【特許文献３】実開平７−２７３７７号公報
【考案の概要】
【考案が解決しようとする課題】
【０００５】
かかる従来技術によるときは、箸に付設する膨出部などの形状が格別な興趣を引き起すものでないため、単なる実用性の追求のみに留まり、いわゆる心のゆとりを感じさせるものになり得ないという問題があった。
【０００６】
そこで、この考案の目的は、かかる従来技術の問題に鑑み、箸の一端に人の手を模して形成する立体部分を設けることによって、箸の使い勝手の向上と併せて、独特の興趣を引き起すことができる箸を提供することにある。
【課題を解決するための手段】
【０００７】
かかる目的を達成するための請求項１の考案の構成は、１本の棒状の箸本体からなり、箸本体の一端には、人の片手を模して形成する立体部分を設けることをその要旨とする。
【０００８】
請求項２の考案の構成は、２本の棒状の箸本体を組み合わせてなり、箸本体の一端には、それぞれ人の右手、左手を模して形成する立体部分を設けることをその要旨とする。
【０００９】
なお、各箸本体の立体部分は、互いに対称形に形成してもよく、互いに組み合わせて一定の観念を表わす形状に形成してもよい。
【００１０】
また、立体部分は、箸本体の延長方向に向けて形成することができる。
【考案の効果】
【００１１】
かかる考案の構成によるときは、人の手を模して形成する立体部分は、看者の興味をそそり、自分の手で立体部分と同じ形状をまねて運動したり、立体部分の形状に関連する物語を創作したりするなど、格別な興趣を引き起すことができる。なお、請求項１の考案によれば、１本の箸の一端の片手を模した立体部分は、たとえば蟹の身を捌いたり、煮魚の身をほぐしたりするときなどに、便利に使用することができる。また、片手の形状は、多種多様に変形可能であるから、デザイン上の選択範囲が広く、バラ売りの他、好みの本数のセット売りも可能である。請求項２の考案によれば、２本１組の箸本体の右手、左手を模して形成する立体部分を組み合わせて使用することにより、あらゆる物を簡単に取り扱うことができ、全体としての使い勝手を大きく向上させることができる。
【００１２】
２本１組の箸本体の立体部分は、互いに同形の対称形に形成することにより、両者を対向させるようにして便利に使用することができる。なお、このときの各立体部分の形状は、全部の指を開いてもよく、親指以外の１〜４本の任意の数の指を開いてもよい。
【００１３】
また、２本１組の箸本体の立体部分は、たとえば「じゃんけん」の石、紙、はさみの任意の２種類の形や、握手や指切りをしている両手の形など、一定の観念を表わす形状に形成することにより、格別な興趣を引き起すことができる。
【００１４】
なお、請求項１、２の各考案において、立体部分は、箸本体の延長方向に向けて形成することにより、箸本体を人の腕に見立てることができ、違和感を生じるおそれがない。
【図面の簡単な説明】
【００１５】
【図１】全体構成正面図
【図２】他の実施の形態を示す構成説明図（１）
【図３】他の実施の形態を示す構成説明図（２）
【図４】他の実施の形態を示す構成説明図（３）
【図５】他の実施の形態を示す構成説明図（４）
【図６】他の実施の形態を示す構成説明図（５）
【図７】他の実施の形態を示す構成説明図（６）
【図８】他の実施の形態を示す構成説明図（７）
【考案を実施するための形態】
【００１６】
以下、図面を以って考案の実施の形態を説明する。
【００１７】
箸は、２本の棒状の箸本体１１、１１を組み合わせてなる（図１）。
【００１８】
各箸本体１１は、プラスチック、金属、木、竹などの材料により、断面円形の棒状に形成されている。箸本体１１は、一端から他端にかけて径を一様に変化させ、一端を太径側に、他端を細径側に形成されている。箸本体１１の太径側の先端部には、任意の文字、図形等による加飾１１ａが施され、細径側の先端には、人の片手を模して形成する立体部分１１ｂが設けられている。なお、一方の箸本体１１の立体部分１１ｂは、右手を模しており、他方の箸本体１１の立体部分１１ｂは、左手を模している。また、立体部分１１ｂ、１１ｂは、それぞれ箸本体１１の延長方向に向けて形成され、両掌を開いた形に互いに対称形に形成されている。
【００１９】
かかる箸は、箸本体１１、１１の太径側を保持し、細径側の立体部分１１ｂ、１１ｂを対向させることにより、たとえば滑り易い物であっても、立体部分１１ｂ、１１ｂの間に簡単に挟むことができる。
【００２０】
箸本体１１、１１の立体部分１１ｂ、１１ｂは、それぞれ右手、左手の任意の形を模して形成することができる（図２）。たとえば、じゃんけんの石、はさみの形状にしてもよく（同図（Ａ））、全部の指を離して掌を開いた形と、人差指を立てた形にしてもよく（同図（Ｂ））、親指、人差指を立てた形と、全部の指を接して掌を拡げた形にしてもよい（同図（Ｃ））。また、図１、図２（Ａ）〜（Ｃ）の各種の立体部分１１ｂ、１１ｂ…は、任意の２本の箸本体１１、１１を組み合わせて箸としてもよく、任意の１本の箸本体１１だけを箸として使用することもできる。ただし、２本の箸本体１１、１１を組み合わせるときは、右手、左手を模して形成する立体部分１１ｂ、１１ｂの組合せを選択するものとする。
【他の実施の形態】
【００２１】
各箸本体１１の細径側の先端には、立体部分１１ｂを着脱可能に設けてもよい（図３（Ａ））。
【００２２】
図３（Ａ）において、各立体部分１１ｂは、箸本体１１の先端に装着され、必要に応じて箸本体１１から分離させることができる。立体部分１１ｂは、ねじ式または雌雄の差込形式により箸本体１１と結合させる。また、立体部分１１ｂは、任意の手の形状を準備し（たとえば図３（Ｂ）〜（Ｍ））、適宜交換して使用することができる。なお、図３の立体部分１１ｂは、子供の手の形に形成されており、幼児の興味を引き、幼児の教育訓練用などに有効に活用することができる。
【００２３】
立体部分１１ｂ、１１ｂは、手の形を適当にデフォルメして形成してもよい（図４）。図４（Ａ）〜（Ｄ）の各立体部分１１ｂは、それぞれ片手の１〜５本の指を順に開いた形にして、開いた指を極端に長く変形して形成されている。調理用の箸として、調理材料に応じて適宜便利に使い分けることができる。なお、図４（Ａ）〜（Ｅ）において、２本１組の箸本体１１、１１の立体部分１１ｂ、１１ｂは、互いに対称形の右手、左手の形に形成されている。
【００２４】
２本１組の箸本体１１、１１の立体部分１１ｂ、１１ｂは、互いに組み合わせて一定の観念を表わす形状に形成することができる（図５）。すなわち、立体部分１１ｂ、１１ｂは、たとえば両手で水などを掬う形（図５（Ａ）、（Ｄ））、じゃんけんの２種類の形（同図（Ｂ）、（Ｅ））、ピストルと制止の形（同図（Ｃ）、（Ｆ））などに形成することができる。ただし、図５（Ｄ）〜（Ｆ）は、それぞれ同図（Ａ）〜（Ｃ）の部分拡大図である。
【００２５】
なお、図５の各箸本体１１は、中間の接合部１２を介して太径側、細径側に分割し、再結合することができる。接合部１２には、細径側の雄ねじ１２ａに適合する図示しない雌ねじが形成されている（図６）。ただし、図６（Ａ）は、細径部の先端に立体部分１１ｂを形成しない場合の図５（Ａ）〜（Ｃ）相当図であり、図６（Ｂ）は、同図（Ａ）の接合部１２を分離させた状態を図示している。そこで、図５（Ａ）〜（Ｃ）の細径側は、図６の細径側と自在に交換して使用することができる。
【００２６】
立体部分１１ｂ、１１ｂは、箸本体１１の太径側の先端に形成してもよい（図７）。なお、立体部分１１ｂ、１１ｂは、指切りの形（図７（Ａ）、（Ｄ））、ＯＫマークの形（同図（Ｂ）、（Ｅ））、手に手を添える形（同図（Ｃ）、（Ｆ））などに形成することができる。ただし、同図（Ｄ）〜（Ｆ）は、それぞれ同図（Ａ）〜（Ｃ）の要部拡大図である。
【００２７】
また、箸本体１１、１１の太径側の立体部分１１ｂ、１１ｂは、互いに単純な対称形に形成してもよい（図８（Ａ）〜（Ｃ））。なお、図７、図８において、各箸本体１１の加飾１１ａは、箸本体１１の中間部に施されている。
【００２８】
以上の説明において、立体部分１１ｂ、１１ｂを有する２本１組の箸本体１１、１１の箸は、そのうちの任意の１本の箸本体１１を別の箸として使用可能である。
【産業上の利用可能性】
【００２９】
この考案は、箸の使い勝手を向上させ、独特の興趣を引き起すので、いわゆる「マイ箸」としても有用に使用することができる。
【符号の説明】
【００３０】
１１…箸本体
１１ｂ…立体部分
実用新案登録出願人      株式会社  シティライズ
代理人  弁理士                  松  田  忠  秋
【図１】
0003149837.tif 000003
【図２】
0003149837.tif 000004
【図３】
0003149837.tif 000005
【図４】
0003149837.tif 000006
【図５】
0003149837.tif 000007
【図６】
0003149837.tif 000008
【図７】
0003149837.tif 000009
【図８】
0003149837.tif 000010